(57)【特許請求の範囲】
【請求項１】
躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備えた建築物において、
上記一方向に沿った視線で見て、上記各門形フレームの各上部外面に、上記一方向に向かって延びる膜材が架設されて屋根が形成され、上記各門形フレームの側部の外側方がわに上記各側部横継材が配置され、これら各側部横継材に剛性の板材が取り付けられて側壁が形成され、
上記各門形フレームの側部が、上記一方向に向かう視線で見て、それぞれ左右一対の内、外側部材と、これら内、外側部材を連結する連結材とを備え、建築物の平面視で、上記一方向に傾斜する方向に延び、上記内側部材がわと側部横継材とを連結するステーが設けられていることを特徴とする建築物。
【請求項２】
躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備えた建築物において、
上記一方向に沿った視線で見て、上記各門形フレームの各上部外面に、上記一方向に向かって延びる膜材が架設されて屋根が形成され、上記各門形フレームの側部の外側方がわに上記各側部横継材が配置され、これら各側部横継材に剛性の板材が取り付けられて側壁が形成され、
上記一方向に向かって延び、上記各門形フレームの側部の上部同士を連結する連結梁と、この連結梁の下方近傍に配置されて上記膜材の側端縁部を上記各門形フレームがわに連結する連結具とが設けられ、上記一方向に沿った視線で見て、上記各門形フレームの側部の上部と上記連結梁との各外側面が互いに面一となっていることを特徴とする建築物。
【請求項３】
躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備えた建築物において、
上記一方向に沿った視線で見て、上記各門形フレームの各上部外面に、上記一方向に向かって延びる膜材が架設されて屋根が形成され、上記各門形フレームの側部の外側方がわに上記各側部横継材が配置され、これら各側部横継材に剛性の板材が取り付けられて側壁が形成され、
上記複数本の側部横継材のうち、上部の側部横継材に上記板材の上端部がシール材を介し当接すると共に、上記上部の側部横継材と上記膜材の側端縁部との間の隙間を閉じる閉じ膜材が設けられたことを特徴とする建築物。
【請求項４】
上下方向で、上記膜材の側端縁部の近傍に上記上部の側部横継材が位置していることを特徴とする請求項３に記載の建築物。
【発明の詳細な説明】
【技術分野】
【０００１】
本発明は、水平な一方向に向かって所定間隔で複数立設される門形フレームを備える躯体に膜材を支持させて、この膜材の内部に所定形状の空間を形成するようにした建築物に関するものである。
【背景技術】
【０００２】
上記建築物には、従来、下記特許文献１に示されるものがある。この公報のものによれば、建築物の躯体は、水平な一方向に向かって所定間隔で地面上に複数立設される門形フレームと、上記一方向に向かって延び、上記各門形フレーム同士を連結する多数の横継材とを備えている。また、上記躯体に支持される膜材がテント構造として設けられる。つまり、上記躯体の支持により上記膜材の内部に所定形状の空間が形成され、この空間は、何らかの作業や物の収容などに利用可能なものとされる。
【０００３】
そして、上記建築物によれば、内部に所定形状の空間を形成するテント構造の膜材は、その可撓性によって取り扱いがし易いものであることから、その分、上記建築物の組立作業が容易にできるという利点がある。また、上記膜材は、通常、透光性があるため、この膜材を通し上記空間に太陽光を導入させてやれば、この空間において、太陽光の光や熱の有効利用ができて有益である。
【先行技術文献】
【特許文献】
【０００４】
【特許文献１】特開２００２−４７８０７号公報
【発明の概要】
【発明が解決しようとする課題】
【０００５】
ところで、通常、建築物は外形寸法が大きいものであり、その一方、上記したテント構造としての膜材は強度も剛性も有するものではない。このため、上記躯体は、上記膜材の自重に加えて、この膜材に対する大きい風圧荷重をも支持することが要求される。よって、上記躯体には大きい強度が要求されることから、ステーやブレースなど、より多くの補強材により上記躯体を補強することが必要とされて、その構成が複雑になったり、質量が大きくなったりするおそれが生じる。
【課題を解決するための手段】
【０００６】
本発明は、上記のような事情に注目してなされたもので、本発明の目的は、水平な一方向に向かって所定間隔で複数立設される門形フレームを備える躯体に膜材を支持させて、この膜材の内部に所定形状の空間を形成するようにした建築物に関し、この建築物を構成簡単に、かつ、軽量に形成できるようにすることである。
【０００７】
請求項１の発明は、躯体３が、水平な一方向Ａに向かって所定間隔で複数立設される門形フレーム４と、上記一方向Ａに向かって延び、上記各門形フレーム４の左右各側部のうち、少なくとも一方の側部同士を連結する上下方向で複数本の側部横継材６，６´とを備えた建築物において、
上記一方向Ａに沿った視線で見て（図３）、上記各門形フレーム４の各上部外面に、上記一方向Ａに向かって延びる膜材１０が架設されて屋根１１が形成され、上記各門形フレーム４の側部の外側方がわに上記各側部横継材６，６´が配置され、これら各側部横継材６，６´に剛性の板材１２が取り付けられて側壁１３が形成され、上記各門形フレーム４の側部が、上記一方向Ａに向かう視線で見て（図１、３）、それぞれ左右一対の内、外側部材３１，３２と、これら内、外側部材３１，３２を連結する連結材３３，３４とを備え、建築物１の平面視（図５）で、上記一方向Ａに傾斜する方向に延び、上記内側部材３１がわと側部横継材６とを連結するステー５１が設けられていることを特徴とする建築物である。
【０００９】
請求項２の発明は、躯体３が、水平な一方向Ａに向かって所定間隔で複数立設される門形フレーム４と、上記一方向Ａに向かって延び、上記各門形フレーム４の左右各側部のうち、少なくとも一方の側部同士を連結する上下方向で複数本の側部横継材６，６´とを備えた建築物において、
上記一方向Ａに沿った視線で見て（図３）、上記各門形フレーム４の各上部外面に、上記一方向Ａに向かって延びる膜材１０が架設されて屋根１１が形成され、上記各門形フレーム４の側部の外側方がわに上記各側部横継材６，６´が配置され、これら各側部横継材６，６´に剛性の板材１２が取り付けられて側壁１３が形成され、
上記一方向Ａに向かって延び、上記各門形フレーム４の側部の上部同士を連結する連結梁５６と、この連結梁５６の下方近傍に配置されて上記膜材１０の側端縁部を上記各門形フレーム４がわに連結する連結具５７とが設けられ、上記一方向Ａに沿った視線で見て（図１，４）、上記各門形フレーム４の側部の上部と上記連結梁５６との各外側面が互いに面一となっていることを特徴とする建築物である。
【００１０】
請求項３の発明は、躯体３が、水平な一方向Ａに向かって所定間隔で複数立設される門形フレーム４と、上記一方向Ａに向かって延び、上記各門形フレーム４の左右各側部のうち、少なくとも一方の側部同士を連結する上下方向で複数本の側部横継材６，６´とを備えた建築物において、
上記一方向Ａに沿った視線で見て（図３）、上記各門形フレーム４の各上部外面に、上記一方向Ａに向かって延びる膜材１０が架設されて屋根１１が形成され、上記各門形フレーム４の側部の外側方がわに上記各側部横継材６，６´が配置され、これら各側部横継材６，６´に剛性の板材１２が取り付けられて側壁１３が形成され、
上記複数本の側部横継材６，６´のうち、上部の側部横継材６´に上記板材１２の上端部がシール材６３を介し当接すると共に、上記上部の側部横継材６´と上記膜材１０の側端縁部との間の隙間６４を閉じる閉じ膜材６５が設けられたことを特徴とする建築物である。
【００１１】
請求項４の発明は、上下方向で、上記膜材１０の側端縁部の近傍に上記上部の側部横継材６´を位置させたことを特徴とする請求項４に記載の建築物である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備えた建築物において、
上記一方向に沿った視線で見て、上記各門形フレームの各上部外面に、上記一方向に向かって延びる膜材が架設されて屋根が形成され、上記各門形フレームの側部の外側方がわに上記各側部横継材が配置され、これら各側部横継材に剛性の板材が取り付けられて側壁が形成され、上記各門形フレームの側部が、上記一方向に向かう視線で見て、それぞれ左右一対の内、外側部材と、これら内、外側部材を連結する連結材とを備え、建築物の平面視で、上記一方向に傾斜する方向に延び、上記内側部材がわと側部横継材とを連結するステーが設けられている。
【００１５】
このため、上記建築物の上部は、その屋根に膜材が用いられてテント構造とされたことから、この建築物は、仮に、これを全体的に剛性材で形成することに比べ、組立作業がより容易かつ円滑にできる。また、上記側壁を剛性の板材とすることにより防犯性を得ると共に、上記膜材を透光性として、この膜材を通し建築物の内部の空間に太陽光を導入させてやれば、一般のテント構造のものと同様に、上記空間において太陽光の光や熱を利用できるなど、この空間の環境を良好なものにでき、もって、この空間における防犯性や作業性が向上するなど有益である。
【００１６】
そして、上記した基本的な効果に加えて、本発明によれば、躯体の一部を構成する側部横継材が、躯体に板材を取り付けるための胴縁として利用されたことから、この利用の分、建築物の構成を、より簡単にできる。
【００１７】
また、上記側部横継材に剛性のある板材を取り付けて側壁を形成したため、この板材により上記建築物の下部が補強される。よって、前記したように建築物の上部はテント構造とされていて、この建築物の上部に十分な強度と剛性とを確保することは容易ではないが、上記板材による補強により、上記躯体には全体的に所望の強度と剛性とを保持させることができる。
【００１９】
また、建築物の平面視で、上記側部横継材、内、外側部材、連結材、およびステーの組み合わせにより三角形状の剛性体が形成される。よって、上記のようにステーを設ける、という簡単な構成により、上記躯体の全体的な強度と剛性とを、より向上させることができる。
【００２０】
請求項２の発明は、躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備えた建築物において、上記一方向に沿った視線で見て、上記各門形フレームの各上部外面に、上記一方向に向かって延びる膜材が架設されて屋根が形成され、上記各門形フレームの側部の外側方がわに上記各側部横継材が配置され、これら各側部横継材に剛性の板材が取り付けられて側壁が形成され、上記一方向に向かって延び、上記各門形フレームの側部の上部同士を連結する連結梁と、この連結梁の下方近傍に配置されて上記膜材の側端縁部を上記各門形フレームがわに連結する連結具とを設け、上記一方向に沿った視線で見て、上記各門形フレームの側部の上部と上記連結梁との各外側面が互いに面一となるようにしている。
【００２１】
このため、前記膜材で形成された屋根の外面を全体的に段差なく滑らかに形成でき、よって、建築物の外観上の見栄えが向上すると共に、屋根の外面の水切り性能が向上する。
【００２２】
また、上記建築物の組立作業時に、上記各門形フレームの側部の上部の外側面に沿って何らかの物体が昇降するとき、この物体が上記連結梁や連結具に接触や衝突することは、上記連結梁の外側面と面一とされた上記各門形フレームの側部の上部の外側面によって防止される。よって、その分、上記建築物の組立作業がより容易かつ円滑にできる。
【００２３】
請求項３の発明は、躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備えた建築物において、上記一方向に沿った視線で見て、上記各門形フレームの各上部外面に、上記一方向に向かって延びる膜材が架設されて屋根が形成され、上記各門形フレームの側部の外側方がわに上記各側部横継材が配置され、これら各側部横継材に剛性の板材が取り付けられて側壁が形成され、上記複数本の側部横継材のうち、上部の側部横継材に上記板材の上端部をシール材を介し当接させると共に、上記上部の側部横継材と上記膜材の側端縁部との間の隙間を閉じる閉じ膜材を設けている。
【００２４】
このため、上記上部の側部横継材と板材の上端部との間、および上記上部の側部横継材と上記膜材の側端縁部との間の隙間を通り、建築物の外部から内部の空間に雨水、塵埃、および虫などの異物や、騒音などが侵入することは防止される。よって、建築物内部の空間の環境が良好に維持される。
【００２５】
請求項４の発明は、上下方向で、上記膜材の側端縁部の近傍に上記上部の側部横継材を
位置させている。
【００２６】
このため、上記上部の側部横継材と膜材の側端縁部との間の隙間を閉じる上記閉じ膜材の幅寸法を短くできて、この閉じ膜材の取り扱いが容易にできる。よって、建築物の組立作業時における上記閉じ膜材の組み付け作業は高所作業ではあるが、この作業は容易にできる。
【図面の簡単な説明】
【００２７】
【図１】図３の部分拡大詳細図である。
【図２】建築物の斜視展開図である。
【図３】建築物の部分正面図である。
【図４】図１の部分拡大部分断面詳細図である。
【図５】図１のV−V線矢視断面部分破断図である。
【発明を実施するための形態】
【００２８】
本発明の建築物に関し、水平な一方向に向かって所定間隔で複数立設される門形フレームを備える躯体に膜材を支持させて、この膜材の内部に所定形状の空間を形成するようにした建築物に関し、この建築物を構成簡単に、かつ、軽量に形成できるようにする、という目的を実現するため、本発明を実施するための形態は、次の如くである。
【００２９】
即ち、建築物の躯体が、水平な一方向に向かって所定間隔で複数立設される門形フレームと、上記一方向に向かって延び、上記各門形フレームの左右各側部のうち、少なくとも一方の側部同士を連結する上下方向で複数本の側部横継材とを備える。上記一方向に沿った視線で見て、上記各門形フレームの各上部外面に、上記一方向に向かって延びる膜材が架設されて屋根が形成される。また、上記各門形フレームの側部の外側方がわに上記各側部横継材が配置され、これら各側部横継材に剛性の板材が取り付けられて側壁が形成される。
【実施例】
【００３０】
本発明をより詳細に説明するために、その実施例を添付の図に従って説明する。
【００３１】
図において、符号１は建築物で、この建築物１は、地面の一部としてこの地面上に打設されたコンクリート製基礎２上に構築されている。また、矢印Ａは、水平な一方向を示し、下記する左右とは、上記一方向Ａに向かって、この一方向Ａに直交する各側方をいうものとする。
【００３２】
上記建築物１の躯体３は、上記一方向Ａに向かって所定の等間隔で上記基礎２上に複数立設される互いに同形同大の門形フレーム４と、上記一方向Ａに向かって延び、上記各門形フレーム４の上部同士を連結する左右方向で複数本（１３本）の屋根部横継材５と、上記一方向Ａに向かって延び、上記各門形フレーム４の左右各側部同士をそれぞれ連結するよう上下方向で所定間隔をあけて配置される複数本（８本）の側部横継材６，６´とを備えている。これら側部横継材６，６´のうち、最上部の側部横継材６´以外の側部横継材６は下方に向かって開く断面Ｃ型鋼板製とされ，最上部の側部横継材６´は強度と剛性とが大きい角パイプ製とされている。
【００３３】
上記一方向Ａに沿った視線で見て（図３）、上記各門形フレーム４の各上部はアーチ形状をなし、この上部外面に上記一方向Ａに向かって延びる膜材１０が架設されて断面半円形状の屋根１１が形成されている。この屋根１１は、上記各門形フレーム４の各上部および各屋根部横継材５をその上方から覆っている。一方、上記各側部横継材６は、上記各門形フレーム４の各側部の外側方がわに配置されている。そして、上記各側部横継材６に対し、上記躯体３の左右各外側方から剛性の板材１２が不図示の締結具により取り付けられて側壁１３が形成されている。
【００３４】
上記一方向Ａを前方としたとき、上記各門形フレーム４のうち、前、後端部の各門形フレーム４には、左右方向に延び、上下方向で所定間隔をあけて配置される複数本（８本）の胴縁１５が取り付けられ、これら胴縁１５に前記板材１２と同構成の他の板材１６が取り付けられて前、後壁１７が形成されている。
【００３５】
上記屋根１１、各側壁１３、および前、後壁１７で囲まれた空間１９は、何らかの作業および行動や物の収容などに利用可能とされる。また、上記後壁１７には上記空間１９への出入口２０が形成され、各側壁１３や前壁１７には、図示しないが、窓や給気口の開口が形成される。上記出入口２０、窓、開口を除き、上記建築物１の躯体３、屋根１１、側壁１３、および前、後壁１７は、左右方向の中心線２１を基準としてほぼ左右対称形とされる。
【００３６】
上記膜材１０は、透光性を有するものであって、基材として天然繊維、合成繊維、無機繊維等による織物と、この織物の外面に施される塩化ビニル（ＰＶＣ）、ポリウレタン（ＰＵ）、エチレン・酢酸ビニル共重合体（ＥＶＡ）、フッ素樹脂などの合成樹脂からなるコーティング材とを備えているが、上記合成樹脂のみからなるシート材であってもよい。
【００３７】
一方、上記板材１２，１６は、厚さが０．５ｍｍ程度の板金製の波板製とされている。
【００３８】
上記各門形フレーム４は、その左右各側部の下部側を構成しアンカーボルト２５により上記基礎２上に立設される左右柱部２６，２６と、これら左右柱部２６，２６の各上端部に架設されるアーチ形状の屋根梁部２７と、上記各柱部２６の上端部に上記屋根梁部２７の各側端部をそれぞれ固着する固着具２８とを備えている。この場合、上記各門形フレーム４の側部は上記柱部２６と、この柱部２６に固着具２８により固着される上記屋根梁部２７の側端部とで構成される。
【００３９】
上記各柱部２６は、上記一方向Ａに向かう視線で見て（図１，３）、左右に少し離れて並設され、鉛直方向に向かって互いに平行に延びる一対の内、外側部材３１，３２と、これら内、外側部材３１，３２をトラス構造となるよう連結する上下方向で複数本の斜め連結材３３と、左右方向で水平に延びて上記内、外側部材３１，３２を連結する上下方向で複数本の横向き連結材３４とを備えている。
【００４０】
上記各柱部２６の内、外側部材３１，３２と斜め連結材３３とはいずれも断面円形のパイプ材製とされ、上記斜め連結材３３、内側部材３１、および外側部材３２の順で、径寸法（強度と剛性）が、より大きくされている。上記横向き連結材３４はフラットバー製とされている。ここで、前記各側部横継材６は、上記各門形フレーム４の柱部２６の外側部材３２の外側面に締結具３５により取り付けられている。
【００４１】
前記各屋根梁部２７は、上記一方向Ａに向かう視線で見て（図１，３）、互いにほぼ平行に延びる上下一対の内、外側部材３８，３９と、これら内、外側部材３８，３９をトラス構造となるよう連結する左右方向で複数本の斜め連結材４０と、縦方向に延びて上記内、外側部材３８，３９を連結する左右方向で複数本の縦向き連結材４１とを備えている。上記各屋根梁部２７はその長手方向で三分割されて、互いに締結具４２により結合されている。
【００４２】
上記各屋根梁部２７の内、外側部材３８，３９と斜め連結材４０とはいずれも断面円形のパイプ材製とされ、上記斜め連結材４０、内側部材３８、および外側部材３９の順で径寸法（強度と剛性）が、より大きくされている。上記縦向き連結材４１はフラットバー製とされている。ここで、前記側部横継材６，６´のうち、最上部の側部横継材６´は、上記各門形フレーム４の屋根梁部２７の側端部における外側部材３９の外側面に締結具４３により取り付けられている。また、前記各屋根部横継材５は、上記各門形フレーム４の屋根梁部２７の縦向き連結材４１の下部側面に取り付けられている。
【００４３】
上記各内側部材３１，３８同士、各外側部材３２，３９同士、および各斜め連結材３３，４０同士はそれぞれ互いに同じ径寸法とされている。上記柱部２６の上端部における上記内、外側部材３１，３２と、上記屋根梁部２７の側端部における上記内、外側部材３８，３９とはそれぞれ互いに同一軸心上に位置するよう突き合されている。
【００４４】
前記固着具２８は、上記柱部２６の上端部における上記内、外側部材３１，３２同士を連結する連結板４６と、上記屋根梁部２７の側端部における上記内、外側部材３８，３９同士を連結する連結板４７と、これら両連結板４６，４７に重ね合わされてこれら連結板４６，４７同士を締結具４８により固着させる固着板４９とを備えている。
【００４５】
上記躯体３は、建築物１の平面視（図５）で、上記一方向Ａに傾斜（４５°）する方向に延び、上記柱部２６の内側部材３１がわである上記横向き連結材３４の上記内側部材３１がわの端部と側部横継材６とを連結するステー５１を備えている。このステー５１はアングル材製であって、その各端部が上記横向き連結材３４の端部と側部横継材６とにそれぞれ締結具５２により結合されている。
【００４６】
上記一方向Ａに向かって延び、上記各門形フレーム４の左右各側部の上部同士を連結する連結梁５６と、この連結梁５６の下方近傍に配置されて前記膜材１０の側端縁部を上記各門形フレーム４がわに連結する連結具５７とが設けられる。具体的には、上記連結梁５６と連結具５７とは、それぞれ上記各屋根梁部２７の側端部における外側部材３９に取り付けられている。上記一方向Ａに沿った視線で見て（図１，４）、上記各門形フレーム４の各側部の上部と上記連結梁５６との各外側面は互いに面一とされ、上記連結具５７は上記各門形フレーム４の各側部の上部外側面よりも躯体３の内方がわに配置されている。
【００４７】
上記連結具５７は、上記一方向Ａに向かって延び、上記各門形フレーム４の各側部の上部に架設される連結梁５８と、この連結梁５８に上記膜材１０の側端縁部を連結する連結体５９とを備え、この連結体５９はロープ、クリップ、フックなどで構成される。
【００４８】
上記複数本の側部横継材６，６´のうち、最上部の側部横継材６´の外側面に前記板材１２の上端部がスポンジ形状のシール材６３を介し当接させられている。また、上記一方向Ａに向かって延び、上記上部の側部横継材６´と上記膜材１０の側端縁部との間の隙間６４を閉じる帯形状の閉じ膜材６５が設けられている。この閉じ膜材６５は、その幅方向の一端縁部が上記膜材１０の側端縁部の外面に溶着や縫着などにより固着され、他端縁部が上記最上部の側部横継材６´の上面に両面テープ６６により接着されている。なお、図示しないが、このシール材６３や閉じ膜材６５に関する構成は、上記建築物１の前、後面部にも適用されている。
【００４９】
上記最上部の側部横継材６´の外側方に配置され、この側部横継材６´に沿って上記一方向Ａに向かって延びる板金製雨樋６９が設けられ、この雨樋６９は、上記側部横継材６´に支持されている。上記側部横継材６´、シール材６３、隙間６４、および閉じ膜材６５の上方近傍に配置されて上記一方向Ａに向かって延びる帯形状の雨水案内用のガイド膜材７０が設けられる。
【００５０】
上記ガイド膜材７０は、その幅方向の一端縁部が上記膜材１０の側端縁部の外面に溶着や縫着などにより固着され、他端縁部が上記雨樋６９の内面に両面テープ７１により接着されている。上記ガイド膜材７０は、その幅方向の一端部側から他端部側に向かうに従い下傾し、前記屋根１１の上面から流下してきた雨水を上記雨樋６９内に案内する。
【００５１】
上記閉じ膜材６５とガイド膜材７０とは、上記膜材１０について前記した材質のいずれかを選択可能であるが、互いに同じ材質としてもよい。
【００５２】
なお、図１中二点鎖線で示すように、上記建築物１の内部の空間１９を全体的に覆うよう、上記膜材１０と各板材１２，１６の内面に沿って延びる断熱材７４を設けてもよく、この場合、この断熱材７４は、上記躯体３の内面側に支持される。
【００５３】
上記構成によれば、上記一方向Ａに沿った視線で見て（図３）、上記各門形フレーム４の各上部外面に、上記一方向Ａに向かって延びる膜材１０を架設して屋根１１を形成し、上記各門形フレーム４の側部の外側方がわに上記各側部横継材６，６´を配置し、これら各側部横継材６，６´に剛性の板材１２を取り付けて側壁１３を形成している。
【００５４】
このため、上記建築物１の上部は、その屋根１１に膜材１０が用いられてテント構造とされたことから、この建築物１は、仮に、これを全体的に剛性材で形成することに比べ、組立作業がより容易かつ円滑にできる。また、上記側壁１３を剛性の板材１２とすることにより防犯性を得ると共に、上記膜材１０を透光性として、この膜材１０を通し建築物１の内部の空間１９に太陽光を導入させてやれば、一般のテント構造のものと同様に、上記空間１９において太陽光の光や熱を利用できるなど、この空間１９の環境を良好なものにでき、もって、この空間１９における防犯性や作業性が向上するなど有益である。
【００５５】
そして、上記した基本的な効果に加えて上記構成によれば、躯体３の一部を構成する側部横継材６，６´が、上記躯体３に板材１２を取り付けるための胴縁として利用されたことから、この利用の分、建築物１の構成を、より簡単にできる。
【００５６】
また、上記側部横継材６，６´に剛性のある板材１２を取り付けて側壁１３を形成したため、この板材１２により上記建築物１の下部が補強される。よって、前記したように建築物１の上部はテント構造とされていて、この建築物１の上部に十分な強度と剛性とを確保することは容易ではないが、上記板材１２による補強により、上記躯体３には全体的に所望の強度と剛性とを保持させることができる。
【００５７】
また、前記したように、各門形フレーム４の側部が、上記一方向Ａに向かう視線で見て（図１、３）、それぞれ左右一対の内、外側部材３１，３２と、これら内、外側部材３１，３２を連結する連結材３３，３４とを備え、建築物１の平面視（図５）で、上記一方向Ａに傾斜する方向に延び、上記内側部材３１がわと側部横継材６とを連結するステー５１を設けている。
【００５８】
このため、建築物１の平面視（図５）で、上記側部横継材６、内、外側部材３１，３２、斜め連結材３３、横向き連結材３４、およびステー５１の組み合わせにより三角形状の剛性体が形成される。よって、上記のようにステー５１を設ける、という簡単な構成により、上記躯体３の全体的な強度と剛性とを、より向上させることができる。
【００５９】
また、前記したように、一方向Ａに向かって延び、上記各門形フレーム４の側部の上部同士を連結する連結梁５６と、この連結梁５６の下方近傍に配置されて上記膜材１０の側端縁部を上記各門形フレーム４がわに連結する連結具５７とを設け、上記一方向Ａに沿った視線で見て（図１，４）、上記各門形フレーム４の側部の上部と上記連結梁５６との各外側面が互いに面一となるようにしている。
【００６０】
このため、前記膜材１０で形成された屋根１１の外面を全体的に段差なく滑らかに形成でき、よって、建築物１の外観上の見栄えが向上すると共に、屋根１１の外面の水切り性能が向上する。
【００６１】
また、上記建築物１の組立作業時に、上記各門形フレーム４の側部の上部の外側面に沿って何らかの物体が昇降するとき、この物体が上記連結梁５６や連結具５７に接触や衝突することは、上記連結梁５６の外側面と面一とされた上記各門形フレーム４の側部の上部の外側面によって防止される。よって、その分、上記建築物１の組立作業がより容易かつ円滑にできる。
【００６２】
また、前記したように、複数本の側部横継材６，６´のうち、上部の側部横継材６´に上記板材１２の上端部をシール材６３を介し当接させると共に、上記上部の側部横継材６´と上記膜材１０の側端縁部との間の隙間６４を閉じる閉じ膜材６５を設けている。
【００６３】
このため、上記上部の側部横継材６´と板材１２の上端部との間、および上記上部の側部横継材６´と上記膜材１０の側端縁部との間の隙間６４を通り、建築物１の外部から内部の空間１９に雨水、塵埃、および虫などの異物や、騒音などが侵入することは防止される。よって、建築物１内部の空間１９の環境が良好に維持される。
【００６４】
また、前記したように、上下方向で、上記膜材１０の側端縁部の近傍に上記上部の側部横継材６´を位置させている。
【００６５】
このため、上記上部の側部横継材６´と膜材１０の側端縁部との間の隙間６４を閉じる上記閉じ膜材６５の幅寸法を短くできて、この閉じ膜材６５の取り扱いが容易にできる。よって、建築物１の組立作業時における上記閉じ膜材６５の組み付け作業は高所作業ではあるが、この作業は容易にできる。
【００６６】
なお、以上は図示の例によるが、上記側部横継材６，６´のうちの最上部の側部横継材６´も他の側部横継材６と同じ構成としてもよい。また、上記各側部横継材６，６´と板材１２とは、上記各門形フレーム４の左右各側部のうち、一方の側部がわにのみ設けてもよい。また、上記各側部横継材６，６´のうち、最上部の側部横継材６´にも上記板材１２を取り付けてもよい。また、上記シール材６３と閉じ膜材６５とに関連する側部横継材６，６´は、これら６，６´のうちの上部に位置する側部横継材６のいずれかであれば足り、最上部の側部横継材６´に限定されるものではない。
【００６７】
また、上記膜材１０は透光性でなくてもよい。また、上記膜材１０、閉じ膜材６５、およびガイド膜材７０が大気側に露出する各外面に対し、それぞれ汚れ防止のための光触媒層を設けてもよい。
【符号の説明】
【００６８】
１    建築物
２    基礎
３    躯体
４    門形フレーム
５    屋根部横継材
６    側部横継材
６´  側部横継材
１０  膜材
１１  屋根
１２  板材
１３  側壁
１９  空間
２６  柱部
２７  屋根梁部
２８  固着具
３１  内側部材
３２  外側部材
３３  斜め連結材
３４  横向き連結材
３８  内側部材
３９  外側部材
４０  斜め連結材
４６  連結板
４７  連結板
４８  締結具
４９  固着板
５１  ステー
５６  連結梁
５７  連結具
６３  シール材
６４  隙間
６５  閉じ膜材
６９  雨樋
７０  ガイド膜材
Ａ    一方向
【図１】
0005860242.tif 000002
【図２】
0005860242.tif 000003
【図３】
0005860242.tif 000004
【図４】
0005860242.tif 000005
【図５】
0005860242.tif 000006